(57)【特許請求の範囲】
【請求項１】
メールの配送を管理するメールサーバと、前記メールサーバが管理するメールを受信するメール受信装置とからなるメール受信システムであって、
前記メール受信装置は、
配送条件と配送動作とからなる配送規則と、メールアドレスと、端末ＩＤとを含む配送規則登録要求コマンドをメールサーバへ送信する第１の配送規則登録部と、
メールアドレスと端末ＩＤとを含む配送規則適合メール要求コマンドを前記メールサーバへ送信し、前記メールサーバから配送されるメールを受信するメール受信部とを備え、
前記メールサーバは、
前記配送規則登録要求コマンドを受信し、メールアドレスと端末ＩＤと配送規則とを関連付けて配送規則記憶部に記憶する第２の配送規則登録部と、
外部からメールを受信したとき、前記受信メールの宛先メールアドレスに関連付けられた配送条件を前記配送規則記憶部から検索し、前記受信メールが前記配送条件を満たす場合には、前記配送条件を満たす端末ＩＤとメールアドレスとを含むメール管理情報、および対応する配送動作を配送メール記憶部に格納するとともに、前記受信メールをそのまま前記配送メール記憶部に格納し、前記受信メールが前記配送条件を満たさない場合には、前記受信メールを前記配送メール記憶部に格納する配送メール検査部と、
前記メール受信装置から前記配送規則適合メール要求コマンドを受信し、そのコマンドに含まれるメールアドレスと端末ＩＤが、前記メール管理情報に含まれるメールアドレスと端末ＩＤに一致した場合、前記配送メール記憶部に格納されたメールを配送動作に基づいて加工して前記メール受信装置へ配送する適合メール配送部とを備えたメール受信システム。
【請求項２】
前記配送規則登録要求コマンドは、配送動作として添付ファイルの種別をさらに含み、前記第２の配送規則登録部は、配送動作として添付ファイルの種別をさらに関連付けて前記配送規則記憶部に記憶し、
前記適合メール配送部は、添付ファイルの種別が配送動作に指定されているとき、その指定された種別の添付ファイルのみを添付して前記メール受信装置へ配送する請求項１記載のメール受信システム。
【請求項３】
メールの配送を管理するメールサーバであって、
配送条件と配送動作とからなる配送規則と、メールアドレスと、端末ＩＤとを含む配送規則登録要求コマンドをメール受信装置から受信し、メールアドレスと端末ＩＤと配送規則とを関連付けて配送規則記憶部に記憶する配送規則登録部と、
外部からメールを受信したとき、前記受信メールの宛先メールアドレスに関連付けられた配送条件を前記配送規則記憶部から検索し、前記受信メールが前記配送条件を満たす場合には、前記配送条件を満たす端末ＩＤとメールアドレスとを含むメール管理情報と、対応する配送動作とを配送メール記憶部に格納するとともに、前記受信メールをそのまま前記配送メール記憶部に格納し、前記受信メールが前記配送条件を満たさない場合には、前記受信メールを前記配送メール記憶部に格納する配送メール検査部と、
メール受信装置から配送規則適合メール要求コマンドを受信し、そのコマンドに含まれるメールアドレスと端末ＩＤが、前記メール管理情報に含まれるメールアドレスと端末ＩＤに一致した場合、前記配送メール記憶部に格納されたメールを配送動作に基づいて加工して前記メール受信装置へ配送する適合メール配送部とを備えたメールサーバ。
【請求項４】
前記配送規則登録要求コマンドは、配送動作として添付ファイルの種別をさらに含み、前記配送規則登録部は、配送動作として添付ファイルの種別をさらに関連付けて前記配送規則記憶部に記憶し、
前記適合メール配送部は、添付ファイルの種別が配送動作に指定されているとき、その指定された種別の添付ファイルのみを添付して前記メール受信装置へ配送する請求項３記載のメールサーバ。
【請求項５】
メールの配送を制御するメールサーバにおけるメール制御方法であって、
配送条件と配送動作とからなる配送規則と、メールアドレスと、端末ＩＤとを含む配送規則登録要求コマンドをメール受信装置から受信し、メールアドレスと端末ＩＤと配送規則とを関連付けて配送規則記憶部に記憶する第１のステップと、
外部からメールを受信したとき、前記受信メールの宛先メールアドレスに関連付けられた配送条件を前記配送規則記憶部から検索し、前記受信メールが前記配送条件を満たす場合には、前記配送条件を満たす端末ＩＤとメールアドレスとを含むメール管理情報と、対応する配送動作とを配送メール記憶部に格納するとともに、前記受信メールをそのまま前記配送メール記憶部に格納し、前記受信メールが前記配送条件を満たさない場合には、前記受信メールを前記配送メール記憶部に格納する第２のステップと、
メール受信装置から配送規則適合メール要求コマンドを受信し、そのコマンドに含まれるメールアドレスと端末ＩＤが、前記メール管理情報に含まれるメールアドレスと端末ＩＤに一致した場合、前記配送メール記憶部に格納されたメールを配送動作に基づいて加工して前記メール受信装置へ配送する第３のステップとを備えたメール制御方法。
【発明の詳細な説明】
【０００１】
【発明の属する技術分野】
本発明は、電子メールシステムにおける受信方法に関するものである。
【０００２】
【従来の技術】
従来、可搬型の端末に使用される電子メールシステムとしては、Ｐｏｓｔ  Ｏｆｆｉｃｅ  Ｐｒｏｔｃｏｌ  Ｖｅｒｓｉｏｎ  ３（略称ＰＯＰ  ３）とよばれるものが開示されている（ＲＦＣ  １９３９）。
【０００３】
ＰＯＰ３はメールサーバからのメールを受信するためのシステムであり、サーバ内に蓄積されたメールの番号を指定して端末側にメールの内容をダウンロードする。
【０００４】
【発明が解決しようとする課題】
一般にメールの内容は、メールを一度端末側にダウンロードしないと判定できない。そのためダウンロードする必要のないメールや、大きなメールなどをダウンロードするために通信時間や通信料金を費やしていた。
【０００５】
本発明は、上記課題を解決するために読む必要のないメールをあらかじめサーバ側にてフィルタリングすることにより通信時間を削減することを目的とする。
【０００６】
【課題を解決するための手段】
上記目的を達成するために本発明のメール受信システムは次のような構成から成る。すなわち、メールの配送を管理するメールサーバと、前記メールサーバが管理するメールを受信するメール受信装置とからなるメール受信システムであって、前記メール受信装置は、配送条件と配送動作とからなる配送規則と、メールアドレスと、端末ＩＤとを含む配送規則登録要求コマンドをメールサーバへ送信する第１の配送規則登録部と、メールアドレスと端末ＩＤとを含む配送規則適合メール要求コマンドを前記メールサーバへ送信し、前記メールサーバから配送されるメールを受信するメール受信部とを備え、前記メールサーバは、前記配送規則登録要求コマンドを受信し、メールアドレスと端末ＩＤと配送規則とを関連付けて配送規則記憶部に記憶する第２の配送規則登録部と、外部からメールを受信したとき、前記受信メールの宛先メールアドレスに関連付けられた配送条件を前記配送規則記憶部から検索し、前記受信メールが前記配送条件を満たす場合には、前記配送条件を満たす端末ＩＤとメールアドレスとを含むメール管理情報、および対応する配送動作を配送メール記憶部に格納するとともに、前記受信メールをそのまま前記配送メール記憶部に格納し、前記受信メールが前記配送条件を満たさない場合には、前記受信メールを前記配送メール記憶部に格納する配送メール検査部と、前記メール受信装置から前記配送規則適合メール要求コマンドを受信し、そのコマンドに含まれるメールアドレスと端末ＩＤが、前記メール管理情報に含まれるメールアドレスと端末ＩＤに一致した場合、前記配送メール記憶部に格納されたメールを配送動作に基づいて加工して前記メール受信装置へ配送する適合メール配送部とを備える。
【０００７】
また、本発明のメール受信システムは、さらに次のような構成から成る。すなわち、前記配送規則登録要求コマンドは、配送動作として添付ファイルの種別をさらに含み、前記第２の配送規則登録部は、配送動作として添付ファイルの種別をさらに関連付けて前記配送規則記憶部に記憶し、前記適合メール配送部は、添付ファイルの種別が配送動作に指定されているとき、その指定された種別の添付ファイルのみを添付して前記メール受信装置へ配送する。
【０００８】
また、本発明のメールサーバは次のような構成から成る。すなわち、メールの配送を管理するメールサーバであって、配送条件と配送動作とからなる配送規則と、メールアドレスと、端末ＩＤとを含む配送規則登録要求コマンドをメール受信装置から受信し、メールアドレスと端末ＩＤと配送規則とを関連付けて配送規則記憶部に記憶する配送規則登録部と、外部からメールを受信したとき、前記受信メールの宛先メールアドレスに関連付けられた配送条件を前記配送規則記憶部から検索し、前記受信メールが前記配送条件を満たす場合には、前記配送条件を満たす端末ＩＤとメールアドレスとを含むメール管理情報と、対応する配送動作とを配送メール記憶部に格納するとともに、前記受信メールをそのまま前記配送メール記憶部に格納し、前記受信メールが前記配送条件を満たさない場合には、前記受信メールを前記配送メール記憶部に格納する配送メール検査部と、メール受信装置から配送規則適合メール要求コマンドを受信し、そのコマンドに含まれるメールアドレスと端末ＩＤが、前記メール管理情報に含まれるメールアドレスと端末ＩＤに一致した場合、前記配送メール記憶部に格納されたメールを配送動作に基づいて加工して前記メール受信装置へ配送する適合メール配送部とを備える。
【０００９】
また、本発明のメールサーバはさらに次のような構成から成る。すなわち前記配送規則登録要求コマンドは、配送動作として添付ファイルの種別をさらに含み、前記配送規則登録部は、配送動作として添付ファイルの種別をさらに関連付けて前記配送規則記憶部に記憶し、前記適合メール配送部は、添付ファイルの種別が配送動作に指定されているとき、その指定された種別の添付ファイルのみを添付して前記メール受信装置へ配送する。
【００１０】
また、本発明のメール制御方法は次のような構成から成る。すなわちメールの配送を制御するメールサーバにおけるメール制御方法であって、配送条件と配送動作とからなる配送規則と、メールアドレスと、端末ＩＤとを含む配送規則登録要求コマンドをメール受信装置から受信し、メールアドレスと端末ＩＤと配送規則とを関連付けて配送規則記憶部に記憶する第１のステップと、外部からメールを受信したとき、前記受信メールの宛先メールアドレスに関連付けられた配送条件を前記配送規則記憶部から検索し、前記受信メールが前記配送条件を満たす場合には、前記配送条件を満たす端末ＩＤとメールアドレスとを含むメール管理情報と、対応する配送動作とを配送メール記憶部に格納するとともに、前記受信メールをそのまま前記配送メール記憶部に格納し、前記受信メールが前記配送条件を満たさない場合には、前記受信メールを前記配送メール記憶部に格納する第２のステップと、メール受信装置から配送規則適合メール要求コマンドを受信し、そのコマンドに含まれるメールアドレスと端末ＩＤが、前記メール管理情報に含まれるメールアドレスと端末ＩＤに一致した場合、前記配送メール記憶部に格納されたメールを配送動作に基づいて加工して前記メール受信装置へ配送する第３のステップとを備える。
【００１１】
以上の構成とすることにより、本発明に係るメール受信装置および方法は、メールサーバから配送されるメールに対する配送規則を登録しておくことができ、必要なメールのみが配送されるので配送されるメールのデータ量を削減し、通信時間、通信料金などを削減できるという効果を奏する。
【００１２】
【発明の実施の形態】
以下本発明の実施の形態について、図面を参照しながら説明する。
【００１３】
（実施の形態１）
図１は、本発明の第１の実施の形態に係るメールシステムの構成図である。
【００１４】
図１のメール受信装置１０１において、配送規則作成部１０２は、配送規則データを作成し、配送規則送信部１０３へ通知する。配送規則送信部１０３は、配送規則登録要求コマンドを送信する。通信Ｉ／Ｆ１０５は、配送規則登録コマンドをメールサーバ装置２０１へ送信する。
【００１５】
メールサーバ装置２０１は、配送規則登録要求コマンドを通信Ｉ／Ｆ２０６から受信すると配送規則登録部２０２へ通知する。配送規則登録部２０２は、配送規則の条件と配送動作を配送規則記憶部２０３に記憶する。メールサーバ装置２０１にメールが配送されると配送メール検査部２０７に通知する。配送メール検査部２０７は、配送先のメールアドレスを取り出し、配送規則記憶部２０３を検索する。メールアドレスに対して配送規則が登録されている場合、メールの内容が配送条件２０５に適合するかを調査する。適合している場合、配送動作２０４を実行し、加工したメールを配送メール記憶部２０８へ記憶する。
【００１６】
メール受信部１０６は、配送規則適合メール要求コマンドを通信Ｉ／Ｆ１０５によりメールサーバ装置２０１へ送信する。メールサーバ装置２０１は、配送規則適合メール要求コマンドを通信Ｉ／Ｆ２０６から受信すると適合メール配送部２０９へ通知する。
【００１７】
適合メール配送部２０９は、配送メール記憶部２０８からメールを取り出し、通信Ｉ／Ｆ２０６によりメール受信装置１０１へ該当メールを送信する。メール受信部１０６は通信Ｉ／Ｆ１０５からメールを受信する。
【００１８】
図２は、メール受信装置１０１の配送規則登録処理の動作フローチャートである。本処理は、図１のメール配送規則作成部１０２と配送規則送信部１０３により実行される。ステップＳ２０１では配送条件の種別を設定する。ステップＳ２０２では配送条件の種別が設定されているかをチェックする。配送条件の種別が設定されていない場合はステップＳ２０１をくり返す。配送条件が設定されている場合は、ステップＳ２０３において配送条件種別を記憶する。
【００１９】
ステップＳ２０４では配送動作種別の設定を行う。ステップＳ２０５では配送動作の種別が設定されているかをチェックする。配送動作種別が設定されていない場合、ステップＳ２０４をくり返す。配送動作種別が設定されている場合は、ステップＳ２０６において配送規則を作成する。配送規則はステップＳ２０４とステップＳ２０６において設定された配送条件種別値と配送動作種別値から構成される配送規則を作成する。ステップＳ２０７では、配送規則登録要求コマンドを作成する。ステップＳ２０８では、通信Ｉ／Ｆ１０５を使い配送規則登録要求コマンドを送信する。以上の手順により、配送規則をメールサーバ装置に登録する。
【００２０】
図３は、メール受信装置１０１の配送条件種別設定処理の動作フローチャートであり、図２のステップＳ２０１の詳細フローチャートである。ステップＳ３０１では配送条件として使う値としてヘッダパターンを使うか問い合わせる。ヘッダパターンを使う場合は、ステップＳ３０２においてサブジェクトを使用するか問い合わせる。サブジェクトを指定する場合ステップＳ３０３においてサブジェクトの文字列を入力させる。次にステップＳ３０４において指定した文字列に対して適合条件を入力させる。適合条件として一致、不一致から選択する。ステップＳ３０２においてサブジェクトを使用しない場合、ステップＳ３０５においてＦＲＯＭを使用するか問い合わせる。ＦＲＯＭを使用する場合、サブジェクトの場合と同様にステップＳ３０３、ステップＳ３０４を実行する。ステップＳ３０５においてＦＲＯＭを利用しない場合、ステップＳ３０６においてＴＯを使用するか問い合わせる。ＴＯを使用する場合、サブジェクトの場合と同様にステップＳ３０３、ステップＳ３０４を実行する。ステップＳ３０６においてＴＯも使用しないあるいはステップＳ３０１においてヘッダパターンを使用しない場合は、ステップＳ３０７のサイズを指定するかを問い合わせる。ステップＳ３０７においてサイズを指定する場合、ステップＳ３０８においてサイズを入力する。次にステップＳ３０９において適合条件を入力する。適合条件としては、指定したサイズより大きい場合、等しい場合、小さい場合から選択する。ステップＳ３１０において複合条件を指定するか問い合わせる。複合条件を指定する場合ステップＳ３１１において複合条件を設定する。前ステップにおいて指定した各条件についてその論理和、論理積、排他的論理和の条件を組み合わせて条件を指定する。次にステップＳ３１２においてデフォルトの指定を行うかを問い合わせる。デフォルトは、前ステップにおいて指定した各条件に適合しない場合を指す。ステップＳ３１３においてデフォルトが選択されたことを記憶する。なお、配送条件としてフローチャートにあげた条件以外にメール本文に含まれる文字列を条件として使用してもよい。
【００２１】
図４はメール受信装置２０１の配送動作種別の設定処理である図２のステップＳ２０４の詳細動作フローチャートである。
【００２２】
ステップＳ４０１において配送時に加工するかを問い合わせる。加工しない場合配送動作なしとして設定を終了する。ステップＳ４０２においてメールサイズを制限するかを問い合わせる。メールサイズを制限する場合、ステップＳ４０３においてメールサイズを入力させる。次にステップＳ４０４においてメールの一部分としてＭＩＭＥのパートを指定するか問い合わせる。
【００２３】
メールのＭＩＭＥパートを指定する場合ステップＳ４０５においてＭＩＭＥのパートの種別を設定する。種別として例えばｐｌａｉｎ  ｔｅｘｔ，ｘ−ｍＳ−ｂｍｐ，ｇｉｆなどのようにテキスト部分あるいは、画像部分あるいは、特定アプリケーションのデータを指定する。
【００２４】
図５は、メールサーバ装置２０１の配送メール検査処理の動作フローチャートである。本処理は配送メール検査部２０７において実行される。ステップＳ５０１はメールサーバ装置において受信したメールから宛先のメールアドレスを取り出す。ステップＳ５０２はメールアドレスを検索キーとして配送規則記憶部２０３を検索する。ステップＳ５０３において該メールアドレスに対して登録された配送規則がない場合、ステップＳ５１０において受信メールをそのまま配送メール記憶部２０８へ記憶する。ステップＳ５０３において該メールアドレスに対して登録された配送規則が有る場合、ステップＳ５０４において配送条件２０５を取り出す。ステップＳ５０５では、取り出した配送条件とメールの内容を比較する。例えばＳｕｂｊｅｃｔに”重要”という文字が含まれるという配送条件の場合、メールのヘッダのＳｕｂｊｅｃｔフィールドに含まれる文字列に対して、”重要”という文字が含まれるかチェックを行う。
【００２５】
ステップＳ５０６において配送条件にマッチしない場合、配送メール記憶部には何も記憶しない。ステップＳ５０６において配送配送条件にマッチする場合、配送規則記憶部２０３から配送動作２０４を取り出す。ステップＳ５０８において配送動作を実行する。例えば配送動作として１ＫＢというサイズまで送信すると登録されている場合、先頭から１ＫＢまでを取り出す。ステップＳ５０９において処理結果を配送メール記憶部２０８へ記憶する。
【００２６】
以上のようにして、受信したメールの一部分だけを配送するメールとして加工することにより、メールの配送量を削減できる。
【００２７】
（実施の形態２）
図６は、本発明の第２の実施の形態に係るメールシステムの構成図である。
【００２８】
図６のメール受信装置６０１において、配送規則登録部６０２は、配送規則データを作成し、配送規則登録要求コマンドを通信Ｉ／Ｆ６０５によりメールサーバ装置６１０へ送信する。
【００２９】
メールサーバ装置６１０は、配送規則登録要求コマンドを通信Ｉ／Ｆ６１１から受信すると配送規則登録部６１２へ通知する。配送規則登録部６１２は、配送規則の条件と配送動作を配送規則記憶部６１３へ記憶する。
【００３０】
メールサーバ装置６１０にメールが配送されると配送メール検査部６１９に通知する。配送メール検査部６１９は、配送先のメールアドレス６１４を取り出し、配送規則記憶部６１３を検索する。メールアドレス６１４に対して配送規則が登録されている場合、メールの内容が配送条件６１６に適合するかを調査する。適合している場合、配送動作６１７を実行し、配送メール記憶部６２０へ配送用メールを記憶する。
【００３１】
メール受信部６０４は、配送規則適合メール要求コマンドを通信Ｉ／Ｆ６０５によりメールサーバ装置６１０へ送信する。メールサーバ装置６１０は、配送規則適合メール要求コマンドを通信Ｉ／Ｆ６１１から受信すると適合メール配送部６２４へ通知する。
【００３２】
適合メール配送部６２４は、配送メール記憶部６２０からメールを取り出し、通信Ｉ／Ｆ６１１によりメール受信装置６０１へ該当メールを送信する。
【００３３】
メール受信部６０４は、通信Ｉ／Ｆ６０５からメールを受信する。メール配送規則を確認する場合、メール受信装置６０１の配送規則確認部６０３は、メール配送規則確認コマンドを通信Ｉ／Ｆ６０５によりメールサーバー装置６１０へ送信する。メールサーバ装置６１０の通信Ｉ／Ｆ６１１からメール配送規則確認コマンドが配送規則確認応答部６１８へ通知される。配送規則確認応答部６１８は、配送規則記憶部６１３から配送規則を取り出し、配送規則確認応答レスポンスを作成し、通信Ｉ／Ｆ６１１を通してメール受信装置６０１へ送信する。配送規則確認部６０３は通信Ｉ／Ｆ６０５から配送規則確認応答レスポンスを通知される。
【００３４】
図７は、メールサーバ装置６１０の配送規則登録処理の動作フローチャートである。本処理は図６の配送規則登録部６１２によって配送規則記憶部６１３を使って実行される。ステップＳ７０１において配送規則登録コマンドからメールアドレスを取り出す。ステップＳ７０２において配送規則登録コマンドから端末ＩＤを取り出す。ステップＳ７０３において配送規則登録コマンドから配送条件を取り出す。ステップＳ７０４において配送規則登録コマンドから配送動作を取り出す。ステップＳ７０５において配送規則記憶部をメールアドレスにて検索する。ステップＳ７０６において該当メールアドレスのデータが有る場合、ステップＳ７０７において配送規則登録コマンドの端末ＩＤと同じ端末ＩＤのエントリの有無を検査する。ステップＳ７０８において該当端末ＩＤが有る場合、ステップＳ７０９において該当するメールアドレス６１４に対する端末ＩＤ６１５の配送条件６１６と配送動作６１７のデータを更新する。ステップＳ７０６において該当メールアドレスがない場合、ステップＳ７１０において新しいメールアドレス用のエントリを作成する。次にステップＳ７１１において新しい端末ＩＤ用のエントリを作成する。ステップＳ７１２において配送条件６１６と配送動作６１７を設定する。ステップＳ７０８において該当する端末ＩＤがない場合、ステップＳ７１１において新しい端末ＩＤ用のエントリを作成する。そしてステップＳ７１２において配送条件６１６と配送動作６１７を設定する。
【００３５】
以上の手順により、一つのメールアドレスに対して複数のメール受信装置での配送条件が指定可能となる。
【００３６】
図８は、メールサーバ装置６１０の配送メール検査処理の動作フローチャートである。本処理は図６の配送メール検査部６１９において配送規則記憶部６１３と配送メール記憶部６２０を使って実行される。ステップＳ８０１は、メールサーバ装置６１０において受信したメールから宛先のメールアドレスを取り出す。ステップＳ８０２は、メールアドレスを検索キーとして配送規則記憶部６１３を検索する。ステップＳ８０３において該メールアドレスと同じアドレスをもつ配送規則がある場合、ステップＳ８０４において最初の端末ＩＤ６１５の配送条件６１６を取り出す。ステップＳ８０５では、取り出した配送条件６１６とメールの内容を比較する。例えばメールのサイズが１０ＫＢ以上の場合という配送条件の場合、メールのサイズをチェックする。ステップＳ８０６において配送条件にマッチする場合、ステップＳ８０７において配送メール記憶部６２０にメール管理情報６２１を作成する。ステップＳ８０８においてメール管理情報６２１に受信メールＩＤと端末ＩＤを記憶する。ステップＳ８０９において元メール６２２に受信したメールを加工せずにそのまま記憶する。ステップＳ８１０において配送規則記憶部６１３の配送動作６１７から配送動作を取り出し、配送メール記憶部６２０の配送動作６２３に記憶する。このとき記憶した配送動作は、メール管理情報と元メールに対して関連づけられている。
【００３７】
ステップＳ８０３において該当データがない場合、ステップＳ８１１において受信メールを元メール６２２に記憶する。ステップＳ８０６において配送条件に該当しない場合もステップＳ８１１において受信メールを元メール６２２に記憶する。
【００３８】
以上の手順により、一つのメールアドレスに対して、複数のメール受信端末から利用する場合に、受信したメール本体は、加工せずにそのまま保存して、配送時にどのような配送動作を行うかを決定しておくことができる。この場合メールを一つだけ記憶しておけば良いので記憶領域を節約できる。
【００３９】
また、メール受信時に配送条件のチェックを事前に行うので、メール受信端末から読み出す場合に、高速に読み出すことができる。
【００４０】
図９は、メールサーバ装置６１０の適合メール配送処理の動作フローチャートである。本処理は、図６の適合メール配送部６２４において配送メール記憶部６２０を使って実行される。ステップＳ９０１は配送規則適合メール要求コマンドから端末ＩＤを取り出す。ステップＳ９０２は配送メール記憶部６２０のメール管理情報をメールアドレスにて検索する。ステップＳ９０３において該当メールアドレスのエントリが存在する場合、ステップＳ９０４において端末ＩＤがエントリ内に存在するかを検索する。ステップＳ９０５において端末ＩＤが存在する場合、ステップＳ９０６において配送動作６２３と配送対象の元メール６２２を取り出す。ステップＳ９０７は、元メール６２２に対して配送動作を実行する。例えば、配送動作がメールの一部を送信する、すなわちＭＩＭＥパートのテキスト部分のみを取り出す場合、元メールのテキストだけを取り出す。ステップＳ９０８は、通信インタフェース６１１を使って、加工したメールをメール受信装置６０１へ配送する。次にステップＳ９０９において残りのメールがないかメール管理情報６２１をチェックする。Ｓ９１０において該当メールがない場合処理を終了する。ステップＳ９０３において該当メールアドレスがない場合は処理を終了する。ステップＳ９０５において端末ＩＤがない場合、別のメールがないか検索する。
【００４１】
以上の手順により、メール受信端末からの適合メール配送要求コマンドにより該当メールを検索し、端末ＩＤの一致する配送動作を実行し、メールを加工して配送する。端末ＩＤ毎に配送動作を設定できるため、例えば画面やメモリの少ない端末ではテキストのみ１ＫＢだけ受信したり、特定の重要な人からのメールだけは受信するように設定できる。また画面が大きくメモリが豊富なメール受信端末ではテキストだけでなく、特定のアプリケーションデータも配送するように設定可能である。
【００４２】
【発明の効果】
以上説明したように、本発明に係るメール受信装置および方法は、メールサーバから配送されるメールに対する配送規則を登録しておくことができる。そのため配送されるメールのデータ量を削減し、通信時間、通信料金などを削減できるという効果を奏する。
【図面の簡単な説明】
【図１】本発明の実施の形態１に係るメールシステムの構成図
【図２】同実施の形態１における配送規則登録処理手順のフローチャート
【図３】同実施の形態１における配送条件種別設定処理手順のフローチャート
【図４】同実施の形態１における配送動作種別設定処理手順のフローチャート
【図５】同実施の形態１における配送検査処理手順のフローチャート
【図６】本発明の実施の形態２に係るメールシステムの構成図
【図７】同実施の形態２における配送規則登録処理手順のフローチャート
【図８】同実施の形態２における配送メール検査処理手順のフローチャート
【図９】同実施の形態２における適合メール配送処理手順のフローチャート
【符号の説明】
１０１、６０１  メール受信装置
１０２  配送規則作成部
１０３  配送規則送信部
１０５、６０５  通信Ｉ／Ｆ
１０６、６０４  メール受信部
２０１、６１０  メールサーバ装置
２０２、６１２  配送規則登録部
２０３、６１３  配送規則記憶部
２０４、６１７  配送動作
２０５、６１６  配送条件
２０６、６１１  通信Ｉ／Ｆ
２０７、６１９  配送メール検査部
２０８、６２０  配送メール記憶部
２０９、６２４  適合メール配送部
６０２  配送規則登録部
６０３  配送規則確認部
６１４  メールアドレス
６１５  端末ＩＤ
６１８  配送規則確認応答部
６２１  メール管理情報
６２２  元メール
６２３  配送動作
【図１】
0004126756.tif 000002
【図２】
0004126756.tif 000003
【図３】
0004126756.tif 000004
【図４】
0004126756.tif 000005
【図５】
0004126756.tif 000006
【図６】
0004126756.tif 000007
【図７】
0004126756.tif 000008
【図８】
0004126756.tif 000009
【図９】
0004126756.tif 000010